(57)【要約】【課題】ＰＳＲにより全体画像に画像処理が施される静止画を表示させる場合に、画像処理回路を停止させて消費電力を低減させることができる画像処理装置を提供する。【解決手段】画像処理装置において、切替信号生成回路は、ＰＳＲにより画像処理後の画像データに対応する静止画を表示させる場合に、第１の画像処理回路により入力画像データが画像処理され、パネルセルフリフレッシュ制御回路の制御により、画像処理後の画像データがフレームバッファに書き込まれ、フレームバッファから読み出される画像処理後の画像データが第４の切替回路から出力されるか、画像処理後の画像データが第３の切替回路を介して第４の切替回路から出力されるように、第１〜第４の切替回路により選択される画像データの切り替えを制御する切替信号を生成する。【選択図】図１
2019139060.tif 000002
【特許請求の範囲】
【請求項１】
ＰＳＲおよびＰＳＲ２を含むパネルセルフリフレッシュの機能を使用して入力画像データに対応する画像を画像表示装置に表示させる画像処理装置であって、
前記パネルセルフリフレッシュの機能を制御するパネルセルフリフレッシュ制御回路と、
選択される画像データに対応する画像に適用される画像処理を前記選択される画像データに施す第１の画像処理回路と、
画像データの切り替えを制御する切替信号を生成する切替信号生成回路と、
前記切替信号に応じて、前記入力画像データと、前記パネルセルフリフレッシュ制御回路の制御によりフレームバッファから読み出される画像データとを切り替えて出力する第１の切替回路と、
前記切替信号に応じて、前記入力画像データと、前記画像処理後の画像データとを切り替えて出力する第２および第３の切替回路と、
前記切替信号に応じて、前記第３の切替回路から出力される画像データと、前記フレームバッファから読み出される画像データとを切り替えて出力する第４の切替回路とを備え、
前記切替信号生成回路は、前記ＰＳＲにより前記画像処理後の画像データに対応する静止画を表示させる場合に、前記入力画像データが前記第１の切替回路を介して前記第１の画像処理回路に入力され、画像処理されるように、さらに前記画像処理後の画像データが前記第２の切替回路を介して前記パネルセルフリフレッシュ制御回路に入力され、前記パネルセルフリフレッシュ制御回路の制御により前記フレームバッファに書き込まれるように、さらに前記フレームバッファから読み出される画像処理後の画像データが前記第４の切替回路から出力されるか、または前記画像処理後の画像データが前記第３の切替回路を介して前記第４の切替回路から出力されるように、前記選択される画像データの切り替えを制御する前記切替信号を生成する、画像処理装置。
【請求項２】
前記切替信号生成回路は、前記ＰＳＲ２により前記画像処理後の画像データに対応する静止画を表示させる場合に、前記入力画像データが前記第２の切替回路を介して前記パネルセルフリフレッシュ制御回路に入力され、前記フレームバッファに書き込まれるように、さらに前記入力画像データが前記第１の切替回路を介して前記第１の画像処理回路に入力され、画像処理されるか、または前記フレームバッファから読み出される画像データが前記第１の切替回路を介して前記第１の画像処理回路に入力され、画像処理されるように、さらに前記画像処理後の画像データが前記第３の切替回路を介して前記第４の切替回路から出力されるように、前記選択される画像データの切り替えを制御する前記切替信号を生成する請求項１に記載の画像処理装置。
【請求項３】
前記フレームバッファは、２フレーム分の画像データを格納する第１および第２のフレーム領域を有し、
前記切替信号生成回路は、前記ＰＳＲ２により前記画像処理後の画像データに対応する静止画を表示させる場合に、前記フレームバッファの第２のフレーム領域から読み出される画像データが前記第１の切替回路を介して前記第１の画像処理回路に入力され、画像処理されるように、さらに前記画像処理後の画像データが前記第２の切替回路を介して前記パネルセルフリフレッシュ制御回路に入力され、前記フレームバッファの第１のフレーム領域に書き込まれた後、前記フレームバッファの第１のフレーム領域から読み出される画像処理後の画像データが前記第４の切替回路から出力されるか、または前記画像処理後の画像データが前記第３の切替回路を介して前記第４の切替回路から出力されるように、前記選択される画像データの切り替えを制御する前記切替信号を生成する請求項１に記載の画像処理装置。
【請求項４】
前記切替信号生成回路は、通常動作により前記画像処理後の画像データに対応する画像を表示させる場合に、前記入力画像データが前記第１の切替回路を介して前記第１の画像処理回路に入力され、画像処理されるように、さらに前記画像処理後の画像データが前記第３の切替回路を介して前記第４の切替回路から出力されるように、前記選択される画像データの切り替えを制御する前記切替信号を生成する請求項１ないし３のいずれか一項に記載の画像処理装置。
【請求項５】
前記切替信号生成回路は、通常動作により前記画像処理が施されない画像データに対応する画像を表示させる場合に、前記入力画像データが前記第３の切替回路を介してそのまま前記第４の切替回路から出力されるように、前記選択される画像データの切り替えを制御する前記切替信号を生成する請求項１ないし４のいずれか一項に記載の画像処理装置。
【請求項６】
前記切替信号生成回路は、前記ＰＳＲまたは前記ＰＳＲ２により前記画像処理が施されない画像データに対応する画像を表示させる場合に、前記入力画像データが前記第２の切替回路を介して前記パネルセルフリフレッシュ制御回路に入力され、前記フレームバッファに書き込まれた後、前記フレームバッファから読み出される画像データが前記第４の切替回路から出力されるように、前記選択される画像データの切り替えを制御する前記切替信号を生成する請求項１ないし５のいずれか一項に記載の画像処理装置。
【請求項７】
前記切替信号生成回路は、前記切替信号として、
前記画像処理が施される場合に、通常動作により前記入力画像データに対応する画像が表示される通常動作モード、前記ＰＳＲが開始される前に、前記入力画像データが前記フレームバッファに書き込まれるＰＳＲ開始モード、前記ＰＳＲが終了される前に、前記入力画像データと前記フレームバッファから読み出される画像データとの間の位相調整が行われるＰＳＲ終了モード、および、前記ＰＳＲ２が開始される前に、前記入力画像データが前記フレームバッファに書き込まれるＰＳＲ２開始モードにおいて、前記入力画像データが出力され、前記ＰＳＲ２により静止画が表示されるＰＳＲ２モード、および、前記ＰＳＲ２が終了される前に、前記入力画像データと前記フレームバッファから読み出される画像データとの間の位相調整が行われるＰＳＲ２終了モードにおいて、前記フレームバッファから読み出される画像データが出力されるように、前記第１の切替回路による画像データの切り替えを制御する第１の切替信号を生成し、
前記画像処理が施されない場合に、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記ＰＳＲ２開始モードおよび前記ＰＳＲ２終了モードにおいて、前記入力画像データが出力され、前記ＰＳＲ開始モード、および、前記ＰＳＲ終了モードにおいて、前記画像処理後の画像データが出力されるように、前記第２の切替回路による画像データの切り替えを制御する第２の切替信号を生成し、
前記画像処理が施されない場合に、前記通常動作モード、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記通常動作モード、前記ＰＳＲ開始モード、前記ＰＳＲ終了モード、前記ＰＳＲ２開始モード、前記ＰＳＲ２モードおよび前記ＰＳＲ２終了モードにおいて、前記画像処理後の画像データが出力されるように、前記第３の切替回路による画像データの切り替えを制御する第３の切替信号を生成し、
前記画像処理が施されない場合に、前記通常動作モード、前記ＰＳＲ開始モードおよび前記ＰＳＲ２開始モードにおいて、ならびに、前記画像処理が施される場合に、前記通常動作モード、前記ＰＳＲ開始モード、前記ＰＳＲ２開始モード、前記ＰＳＲ２モードおよび前記ＰＳＲ２終了モードにおいて、前記第３の切替回路から出力される画像データが出力され、前記画像処理が施されない場合に、前記ＰＳＲにより静止画が表示されるＰＳＲモード、前記ＰＳＲ終了モード、前記ＰＳＲ２モードおよび前記ＰＳＲ２終了モードにおいて、ならびに、前記画像処理が施される場合に、前記ＰＳＲモードおよび前記ＰＳＲ終了モードにおいて、前記フレームバッファから読み出される画像データが出力されるように、前記第４の切替回路による画像データの切り替えを制御する第４の切替信号を生成する請求項１ないし６のいずれか一項に記載の画像処理装置。
【請求項８】
さらに、前記入力画像データに対応する画像全体に適用される画像処理を前記第４の切替回路から出力される画像データに施す第２の画像処理回路を備える請求項１ないし７のいずれか一項に記載の画像処理装置。
【請求項９】
さらに、前記第１の画像処理回路は、前記画像処理後の画像データが前記フレームバッファに書き込まれた後に停止される、請求項１ないし８のいずれか一項に記載の画像処理装置。
【請求項１０】
画像処理装置が、ＰＳＲおよびＰＳＲ２を含むパネルセルフリフレッシュの機能を使用して入力画像データに対応する画像を画像表示装置に表示させる画像処理方法であって、
前記画像処理装置のパネルセルフリフレッシュ制御回路が、前記パネルセルフリフレッシュの機能を制御するステップと、
前記画像処理装置の第１の画像処理回路が、選択される画像データに対応する画像に適用される画像処理を前記選択される画像データに施すステップと、
前記画像処理装置の切替信号生成回路が、画像データの切り替えを制御する切替信号を生成するステップと、
前記画像処理装置の第１の切替回路が、前記切替信号に応じて、前記入力画像データと、前記パネルセルフリフレッシュ制御回路の制御によりフレームバッファから読み出される画像データとを切り替えて出力するステップと、
前記画像処理装置の第２の切替回路が、前記切替信号に応じて、前記入力画像データと、前記画像処理後の画像データとを切り替えて出力するステップと、
前記画像処理装置の第３の切替回路が、前記切替信号に応じて、前記入力画像データと、前記画像処理後の画像データとを切り替えて出力するステップと、
前記画像処理装置の第４の切替回路が、前記切替信号に応じて、前記第３の切替回路から出力される画像データと、前記フレームバッファから読み出される画像データとを切り替えて出力するステップとを含み、
前記切替信号を生成するステップは、前記切替信号として、
前記画像処理が施される場合に、通常動作により前記入力画像データに対応する画像が表示される通常動作モード、前記ＰＳＲが開始される前に、前記入力画像データが前記フレームバッファに書き込まれるＰＳＲ開始モード、前記ＰＳＲが終了される前に、前記入力画像データと前記フレームバッファから読み出される画像データとの間の位相調整が行われるＰＳＲ終了モード、および、前記ＰＳＲ２が開始される前に、前記入力画像データが前記フレームバッファに書き込まれるＰＳＲ２開始モードにおいて、前記入力画像データが出力され、前記ＰＳＲ２により静止画が表示されるＰＳＲ２モード、および、前記ＰＳＲ２が終了される前に、前記入力画像データと前記フレームバッファから読み出される画像データとの間の位相調整が行われるＰＳＲ２終了モードにおいて、前記フレームバッファから読み出される画像データが出力されるように、前記第１の切替回路による画像データの切り替えを制御する第１の切替信号を生成するステップと、
前記画像処理が施されない場合に、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記ＰＳＲ２開始モードおよび前記ＰＳＲ２終了モードにおいて、前記入力画像データが出力され、前記ＰＳＲ開始モード、および、前記ＰＳＲ終了モードにおいて、前記画像処理後の画像データが出力されるように、前記第２の切替回路による画像データの切り替えを制御する第２の切替信号を生成するステップと、
前記画像処理が施されない場合に、前記通常動作モード、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記通常動作モード、前記ＰＳＲ開始モード、前記ＰＳＲ終了モード、前記ＰＳＲ２開始モード、前記ＰＳＲ２モードおよび前記ＰＳＲ２終了モードにおいて、前記画像処理後の画像データが出力されるように、前記第３の切替回路による画像データの切り替えを制御する第３の切替信号を生成するステップと、
前記画像処理が施されない場合に、前記通常動作モード、前記ＰＳＲ開始モードおよび前記ＰＳＲ２開始モードにおいて、ならびに、前記画像処理が施される場合に、前記通常動作モード、前記ＰＳＲ開始モード、前記ＰＳＲ２開始モード、前記ＰＳＲ２モードおよび前記ＰＳＲ２終了モードにおいて、前記第３の切替回路から出力される画像データが出力され、前記画像処理が施されない場合に、前記ＰＳＲにより静止画が表示されるＰＳＲモード、前記ＰＳＲ終了モード、前記ＰＳＲ２モードおよび前記ＰＳＲ２終了モードにおいて、ならびに、前記画像処理が施される場合に、前記ＰＳＲモードおよび前記ＰＳＲ終了モードにおいて、前記フレームバッファから読み出される画像データが出力されるように、前記第４の切替回路による画像データの切り替えを制御する第４の切替信号を生成するステップとを含む、画像処理方法。
【発明の詳細な説明】
【技術分野】
【０００１】
本発明は、パネルセルフリフレッシュの機能を使用して入力画像データに対応する画像を液晶パネル等の画像表示装置に表示させる画像処理装置および画像処理方法に関する。
【背景技術】
【０００２】
標準化団体ＶＥＳＡ（Video Electronics Standards Association）の規格であるｅＤＰ（embedded DisplayPort：エンベデッドディスプレイポート）には、ＰＳＲ（Panel Self-Refresh：パネルセルフリフレッシュ）という省電力化の手法がある。ＰＳＲでは、静止画を表示させる場合に、入力画像データの送信装置の動作を停止し、入力画像データの受信装置側の画像処理装置に記憶された静止画の画像データを出力することによりシステム全体での消費電力を削減する。
【０００３】
また、ｅＤＰの規格には、ＰＳＲ２（Panel Self Refresh 2：パネルセルフリフレッシュ２）という機能がある。ＰＳＲ２では、ＰＳＲによる静止画の表示が維持されたまま画像の更新が行われる。画像の更新には、画像全体を更新する場合と、画像の一部の領域のみを更新する場合の２通りがある。一部の領域のみを更新する方が省電力の観点で優れているが、そのためには、更新される一部の領域の選択、画像データの記憶および出力される画像データの切り替え等が必要となる。
【０００４】
パネルセルフリフレッシュの機能、つまり、ＰＳＲおよびＰＳＲ２を使用して静止画を表示装置に表示させる画像処理装置は、静止画の画像データを記憶するリモートフレームバッファを備えている。画像処理装置は、新たな画像を表示させる場合、送信装置から送信されてくる入力画像データを出力するか、リモートフレームバッファから読みされる静止画の画像データを出力するかを選択する。また、画像処理装置は、画像全体を書き換えるか、一部の領域のみを書き換えるかも選択する。
【０００５】
なお、本発明に関連性のある先行技術文献として、特許文献１〜５がある。
【先行技術文献】
【特許文献】
【０００６】
【特許文献１】米国特許第９４６０６８５号明細書
【特許文献２】特開２００５−１６４９３７号公報
【特許文献３】特開２００７−１９９４１８号公報
【特許文献４】特開２００８−３０４７６３号公報
【特許文献５】特開２００７−１４８０５４号公報
【発明の概要】
【発明が解決しようとする課題】
【０００７】
ところで、画像処理装置において画像データを画像処理する場合、画像処理には、画像の一部の領域である部分画像にも適用可能なものと、画像全体から情報を抽出して処理を施す必要があるものがある。具体的には、液晶パネルに起因する補正等は画像によらず一定であり、部分画像に適用可能である。一方、画像の動きおよび変化に起因する補正等は、画像全体からの情報が必要であり、画像全体に適用する必要がある。
【０００８】
従来の画像処理装置では、部分画像を画像処理する場合も画像全体を画像処理する場合も、リモートフレームバッファから読み出される画像データに画像処理が行われていた。従って、ＰＳＲにより全体画像に画像処理が施される静止画を表示させる場合であっても、画像データを画像処理する画像処理回路を停止させることができないため、画像処理回路の分の消費電力を低減させることができないという問題があった。
【０００９】
本発明の第１の目的は、ＰＳＲにより全体画像に画像処理が施される静止画を表示させる場合に、画像処理回路を停止させて消費電力を低減させることができる画像処理装置および画像処理方法を提供することにある。
また、本発明の第２の目的は、上記第１の目的に加えて、ＰＳＲ２により部分画像に画像処理が施される静止画を表示させる場合においても、画像処理回路を停止させて消費電力を低減させることができる画像処理装置および画像処理方法を提供することにある。
【課題を解決するための手段】
【００１０】
上記目的を達成するために、本発明は、ＰＳＲおよびＰＳＲ２を含むパネルセルフリフレッシュの機能を使用して入力画像データに対応する画像を画像表示装置に表示させる画像処理装置であって、
前記パネルセルフリフレッシュの機能を制御するパネルセルフリフレッシュ制御回路と、
選択される画像データに対応する画像に適用される画像処理を前記選択される画像データに施す第１の画像処理回路と、
画像データの切り替えを制御する切替信号を生成する切替信号生成回路と、
前記切替信号に応じて、前記入力画像データと、前記パネルセルフリフレッシュ制御回路の制御によりフレームバッファから読み出される画像データとを切り替えて出力する第１の切替回路と、
前記切替信号に応じて、前記入力画像データと、前記画像処理後の画像データとを切り替えて出力する第２および第３の切替回路と、
前記切替信号に応じて、前記第３の切替回路から出力される画像データと、前記フレームバッファから読み出される画像データとを切り替えて出力する第４の切替回路とを備え、
前記切替信号生成回路は、前記ＰＳＲにより前記画像処理後の画像データに対応する静止画を表示させる場合に、前記入力画像データが前記第１の切替回路を介して前記第１の画像処理回路に入力され、画像処理されるように、さらに前記画像処理後の画像データが前記第２の切替回路を介して前記パネルセルフリフレッシュ制御回路に入力され、前記パネルセルフリフレッシュ制御回路の制御により前記フレームバッファに書き込まれるように、さらに前記フレームバッファから読み出される画像処理後の画像データが前記第４の切替回路から出力されるか、または前記画像処理後の画像データが前記第３の切替回路を介して前記第４の切替回路から出力されるように、前記選択される画像データの切り替えを制御する前記切替信号を生成する、画像処理装置を提供する。
【００１１】
ここで、前記切替信号生成回路は、前記ＰＳＲ２により前記画像処理後の画像データに対応する静止画を表示させる場合に、前記入力画像データが前記第２の切替回路を介して前記パネルセルフリフレッシュ制御回路に入力され、前記フレームバッファに書き込まれるように、さらに前記入力画像データが前記第１の切替回路を介して前記第１の画像処理回路に入力され、画像処理されるか、または前記フレームバッファから読み出される画像データが前記第１の切替回路を介して前記第１の画像処理回路に入力され、画像処理されるように、さらに前記画像処理後の画像データが前記第３の切替回路を介して前記第４の切替回路から出力されるように、前記選択される画像データの切り替えを制御する前記切替信号を生成することが好ましい。
【００１２】
また、前記フレームバッファは、２フレーム分の画像データを格納する第１および第２のフレーム領域を有し、
前記切替信号生成回路は、前記ＰＳＲ２により前記画像処理後の画像データに対応する静止画を表示させる場合に、前記フレームバッファの第２のフレーム領域から読み出される画像データが前記第１の切替回路を介して前記第１の画像処理回路に入力され、画像処理されるように、さらに前記画像処理後の画像データが前記第２の切替回路を介して前記パネルセルフリフレッシュ制御回路に入力され、前記フレームバッファの第１のフレーム領域に書き込まれた後、前記フレームバッファの第１のフレーム領域から読み出される画像処理後の画像データが前記第４の切替回路から出力されるか、または前記画像処理後の画像データが前記第３の切替回路を介して前記第４の切替回路から出力されるように、前記選択される画像データの切り替えを制御する前記切替信号を生成することが好ましい。
【００１３】
また、前記切替信号生成回路は、通常動作により前記画像処理後の画像データに対応する画像を表示させる場合に、前記入力画像データが前記第１の切替回路を介して前記第１の画像処理回路に入力され、画像処理されるように、さらに前記画像処理後の画像データが前記第３の切替回路を介して前記第４の切替回路から出力されるように、前記選択される画像データの切り替えを制御する前記切替信号を生成することが好ましい。
【００１４】
また、前記切替信号生成回路は、通常動作により前記画像処理が施されない画像データに対応する画像を表示させる場合に、前記入力画像データが前記第３の切替回路を介してそのまま前記第４の切替回路から出力されるように、前記選択される画像データの切り替えを制御する前記切替信号を生成することが好ましい。
【００１５】
また、前記切替信号生成回路は、前記ＰＳＲまたは前記ＰＳＲ２により前記画像処理が施されない画像データに対応する画像を表示させる場合に、前記入力画像データが前記第２の切替回路を介して前記パネルセルフリフレッシュ制御回路に入力され、前記フレームバッファに書き込まれた後、前記フレームバッファから読み出される画像データが前記第４の切替回路から出力されるように、前記選択される画像データの切り替えを制御する前記切替信号を生成することが好ましい。
【００１６】
また、前記切替信号生成回路は、前記切替信号として、
前記画像処理が施される場合に、通常動作により前記入力画像データに対応する画像が表示される通常動作モード、前記ＰＳＲが開始される前に、前記入力画像データが前記フレームバッファに書き込まれるＰＳＲ開始モード、前記ＰＳＲが終了される前に、前記入力画像データと前記フレームバッファから読み出される画像データとの間の位相調整が行われるＰＳＲ終了モード、および、前記ＰＳＲ２が開始される前に、前記入力画像データが前記フレームバッファに書き込まれるＰＳＲ２開始モードにおいて、前記入力画像データが出力され、前記ＰＳＲ２により静止画が表示されるＰＳＲ２モード、および、前記ＰＳＲ２が終了される前に、前記入力画像データと前記フレームバッファから読み出される画像データとの間の位相調整が行われるＰＳＲ２終了モードにおいて、前記フレームバッファから読み出される画像データが出力されるように、前記第１の切替回路による画像データの切り替えを制御する第１の切替信号を生成し、
前記画像処理が施されない場合に、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記ＰＳＲ２開始モードおよび前記ＰＳＲ２終了モードにおいて、前記入力画像データが出力され、前記ＰＳＲ開始モード、および、前記ＰＳＲ終了モードにおいて、前記画像処理後の画像データが出力されるように、前記第２の切替回路による画像データの切り替えを制御する第２の切替信号を生成し、
前記画像処理が施されない場合に、前記通常動作モード、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記通常動作モード、前記ＰＳＲ開始モード、前記ＰＳＲ終了モード、前記ＰＳＲ２開始モード、前記ＰＳＲ２モードおよび前記ＰＳＲ２終了モードにおいて、前記画像処理後の画像データが出力されるように、前記第３の切替回路による画像データの切り替えを制御する第３の切替信号を生成し、
前記画像処理が施されない場合に、前記通常動作モード、前記ＰＳＲ開始モードおよび前記ＰＳＲ２開始モードにおいて、ならびに、前記画像処理が施される場合に、前記通常動作モード、前記ＰＳＲ開始モード、前記ＰＳＲ２開始モード、前記ＰＳＲ２モードおよび前記ＰＳＲ２終了モードにおいて、前記第３の切替回路から出力される画像データが出力され、前記画像処理が施されない場合に、前記ＰＳＲにより静止画が表示されるＰＳＲモード、前記ＰＳＲ終了モード、前記ＰＳＲ２モードおよび前記ＰＳＲ２終了モードにおいて、ならびに、前記画像処理が施される場合に、前記ＰＳＲモードおよび前記ＰＳＲ終了モードにおいて、前記フレームバッファから読み出される画像データが出力されるように、前記第４の切替回路による画像データの切り替えを制御する第４の切替信号を生成することが好ましい。
【００１７】
さらに、前記入力画像データに対応する画像全体に適用される画像処理を前記第４の切替回路から出力される画像データに施す第２の画像処理回路を備えることが好ましい。
【００１８】
さらに、前記第１の画像処理回路は、前記画像処理後の画像データが前記フレームバッファに書き込まれた後に停止されることが好ましい。
【００１９】
また、本発明は、画像処理装置が、ＰＳＲおよびＰＳＲ２を含むパネルセルフリフレッシュの機能を使用して入力画像データに対応する画像を画像表示装置に表示させる画像処理方法であって、
前記画像処理装置のパネルセルフリフレッシュ制御回路が、前記パネルセルフリフレッシュの機能を制御するステップと、
前記画像処理装置の第１の画像処理回路が、選択される画像データに対応する画像に適用される画像処理を前記選択される画像データに施すステップと、
前記画像処理装置の切替信号生成回路が、画像データの切り替えを制御する切替信号を生成するステップと、
前記画像処理装置の第１の切替回路が、前記切替信号に応じて、前記入力画像データと、前記パネルセルフリフレッシュ制御回路の制御によりフレームバッファから読み出される画像データとを切り替えて出力するステップと、
前記画像処理装置の第２の切替回路が、前記切替信号に応じて、前記入力画像データと、前記画像処理後の画像データとを切り替えて出力するステップと、
前記画像処理装置の第３の切替回路が、前記切替信号に応じて、前記入力画像データと、前記画像処理後の画像データとを切り替えて出力するステップと、
前記画像処理装置の第４の切替回路が、前記切替信号に応じて、前記第３の切替回路から出力される画像データと、前記フレームバッファから読み出される画像データとを切り替えて出力するステップとを含み、
前記切替信号を生成するステップは、前記切替信号として、
前記画像処理が施される場合に、通常動作により前記入力画像データに対応する画像が表示される通常動作モード、前記ＰＳＲが開始される前に、前記入力画像データが前記フレームバッファに書き込まれるＰＳＲ開始モード、前記ＰＳＲが終了される前に、前記入力画像データと前記フレームバッファから読み出される画像データとの間の位相調整が行われるＰＳＲ終了モード、および、前記ＰＳＲ２が開始される前に、前記入力画像データが前記フレームバッファに書き込まれるＰＳＲ２開始モードにおいて、前記入力画像データが出力され、前記ＰＳＲ２により静止画が表示されるＰＳＲ２モード、および、前記ＰＳＲ２が終了される前に、前記入力画像データと前記フレームバッファから読み出される画像データとの間の位相調整が行われるＰＳＲ２終了モードにおいて、前記フレームバッファから読み出される画像データが出力されるように、前記第１の切替回路による画像データの切り替えを制御する第１の切替信号を生成するステップと、
前記画像処理が施されない場合に、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記ＰＳＲ２開始モードおよび前記ＰＳＲ２終了モードにおいて、前記入力画像データが出力され、前記ＰＳＲ開始モード、および、前記ＰＳＲ終了モードにおいて、前記画像処理後の画像データが出力されるように、前記第２の切替回路による画像データの切り替えを制御する第２の切替信号を生成するステップと、
前記画像処理が施されない場合に、前記通常動作モード、前記ＰＳＲ開始モード、前記ＰＳＲ終了モード、前記ＰＳＲ２開始モードおよび前記ＰＳＲ２終了モードにおいて、前記入力画像データが出力され、前記画像処理が施される場合に、前記通常動作モード、前記ＰＳＲ開始モード、前記ＰＳＲ終了モード、前記ＰＳＲ２開始モード、前記ＰＳＲ２モードおよび前記ＰＳＲ２終了モードにおいて、前記画像処理後の画像データが出力されるように、前記第３の切替回路による画像データの切り替えを制御する第３の切替信号を生成するステップと、
前記画像処理が施されない場合に、前記通常動作モード、前記ＰＳＲ開始モードおよび前記ＰＳＲ２開始モードにおいて、ならびに、前記画像処理が施される場合に、前記通常動作モード、前記ＰＳＲ開始モード、前記ＰＳＲ２開始モード、前記ＰＳＲ２モードおよび前記ＰＳＲ２終了モードにおいて、前記第３の切替回路から出力される画像データが出力され、前記画像処理が施されない場合に、前記ＰＳＲにより静止画が表示されるＰＳＲモード、前記ＰＳＲ終了モード、前記ＰＳＲ２モードおよび前記ＰＳＲ２終了モードにおいて、ならびに、前記画像処理が施される場合に、前記ＰＳＲモードおよび前記ＰＳＲ終了モードにおいて、前記フレームバッファから読み出される画像データが出力されるように、前記第４の切替回路による画像データの切り替えを制御する第４の切替信号を生成するステップとを含む、画像処理方法を提供する。
【発明の効果】
【００２０】
本発明によれば、ＰＳＲにより画像処理後の画像データに対応する静止画を表示させる場合に、第１の画像処理回路により画像データが画像処理され、パネルセルフリフレッシュ制御回路の制御により画像処理後の画像データがフレームバッファに書き込まれ、フレームバッファから読み出される画像処理後の画像データが第４の切替回路から出力される。
従って、ＰＳＲにより全体画像に画像処理が施される静止画を表示させる場合において、第１の画像処理回路を停止させることができ、第１の画像処理回路による消費電力を低減させることができる。
【００２１】
また、本発明によれば、ＰＳＲ２により画像処理後の画像データに対応する静止画を表示させる場合に、ＰＳＲ制御回路の制御によりフレームバッファの第２のフレーム領域から読み出される画像データが、第１の画像処理回路により画像処理され、ＰＳＲ制御回路の制御により、画像処理後の画像データがフレームバッファの第１のフレーム領域に書き込まれた後、フレームバッファの第１のフレーム領域から読み出される画像処理後の画像データが第４の切替回路から出力される。
従って、ＰＳＲ２により画像に画像処理が施される静止画を表示させる場合において、第１の画像処理回路を停止させることができ、第１の画像処理回路による消費電力を低減させることができる。
【図面の簡単な説明】
【００２２】
【図１】本発明の画像処理装置の構成を表す一実施形態のブロック図である。
【図２】図１に示す画像処理装置の動作を表すフローチャートである。
【図３】図１に示す画像処理装置の動作を表すフローチャートである。
【図４】画像に画像処理が施される通常動作モードにおいて、画像データの経路を表すブロック図である。
【図５】画像に画像処理が施されるＰＳＲ開始モードにおいて、画像データの経路を表すブロック図である。
【図６】画像に画像処理が施されるＰＳＲモードにおいて、画像データの経路を表すブロック図である。
【図７】画像に画像処理が施されるＰＳＲ終了モードにおいて、画像データの経路を表すブロック図である。
【図８】画像に画像処理が施されるＰＳＲ２開始モードにおいて、画像データの経路を表すブロック図である。
【図９】画像に画像処理が施されるＰＳＲ２モードにおいて、画像データの経路を表すブロック図である。
【図１０】画像に画像処理が施されるＰＳＲ２終了モードにおいて、画像データの経路を表すブロック図である。
【図１１】画像に画像処理が施されるＰＳＲ２モードにおいて、画像データの経路を表す別のブロック図である。
【図１２】画像に画像処理が施されるＰＳＲ２モードにおいて、画像データの経路を表す別のブロック図である。
【図１３】画像に画像処理が施されるＰＳＲ２モードにおいて、ＰＳＲ２モードにおいて使用される画像の一部を更新する新たな入力画像データが受信された場合の画像データの経路を表すブロック図である。
【発明を実施するための形態】
【００２３】
以下に、添付の図面に示す好適実施形態に基づいて、本発明の画像処理装置および画像処理方法を詳細に説明する。
【００２４】
図１は、本発明の画像処理装置の構成を表す一実施形態のブロック図である。図１に示す画像処理装置１０は、ＰＳＲおよびＰＳＲ２を含むパネルセルフリフレッシュの機能を使用して入力画像データに対応する画像を液晶パネル等の画像表示装置に表示させるものである。画像処理装置１０は、パネルセルフリフレッシュ制御回路（以下、ＰＳＲ制御回路ともいう）１２と、第１の画像処理回路１４と、切替信号生成回路１６と、切替回路と、第２の画像処理回路２２とを備えている。
【００２５】
図１において、受信装置２０は、図示していない送信装置から送信されてくる入力画像データおよび制御信号等を受信する。受信装置２０から出力される入力画像データおよび制御信号等は、画像処理装置１０に入力される。
【００２６】
画像処理装置１０において、ＰＳＲ制御回路１２は、パネルセルフリフレッシュの機能を制御する。
ＰＳＲ制御回路１２には、切替回路から出力される画像データが入力される。また、ＰＳＲ制御回路１２から出力される画像データは、切替回路に入力される。
ＰＳＲ制御回路１２は、具体的には、ＰＳＲまたはＰＳＲ２により静止画を表示させる場合に、画像データのリモートフレームバッファＲＦＢ（本発明のフレームバッファ）への書き込みおよびリモートフレームバッファＲＦＢからの読み出しを制御する。
また、ＰＳＲ制御回路１２は、検出信号として、後述する１フレーム経過信号および位相調整完了信号を出力する。
本実施形態のＰＳＲ制御回路１２は、１フレーム分の画像データを格納するリモートフレームバッファＲＦＢを内部に備えているが、リモートフレームバッファＲＦＢを備えることは必須ではなく、外部のリモートフレームバッファＲＦＢを使用してもよい。
【００２７】
続いて、第１の画像処理回路（IPU1）１４は、切替回路により選択される画像データを画像処理する。
第１の画像処理回路１４には、切替回路から出力される画像データが入力される。また、第１の画像処理回路１４から出力される画像データは切替回路に入力される。
第１の画像処理回路１４は、例えば液晶パネルに起因する補正等のように、画像データに対応する画像の一部の領域である部分画像や、例えば画像の動きおよび変化に起因する補正等のように、画像データに対応する画像全体に適用される画像処理を画像データに施す。
【００２８】
続いて、切替信号生成回路１６は、切替回路による画像データの切り替えを制御する切替信号を生成する。
切替信号生成回路１６には、受信装置２０から出力される制御信号が入力される。また、切替信号生成回路１６から出力される切替信号は切替回路に入力される。
本実施形態の場合、切替信号生成回路１６は、第１〜第４の切替信号を生成する。
【００２９】
続いて、切替回路は、切替信号生成回路１６によって生成される切替信号に応じて、画像データを切り替える、つまり、画像データを選択して出力するものであり、第１〜第４の切替回路となる第１〜第４のマルチプレクサＭＵＸ１〜ＭＵＸ４を備えている。
本実施形態の切替回路は、第１〜第４の切替信号に応じて、第１〜第４のマルチプレクサＭＵＸ１〜ＭＵＸ４により、ＰＳＲ制御回路１２および第１の画像処理回路１４に入力される画像データ、つまり、第１および第２のマルチプレクサＭＵＸ１およびＭＵＸ２から出力される画像データ、第３のマルチプレクサＭＵＸ３から出力される画像データ、ならびに、第４のマルチプレクサＭＵＸ４から出力される画像データを切り替える。
【００３０】
第１のマルチプレクサＭＵＸ１は、第１の切替信号に応じて、受信装置２０から出力される入力画像データと、ＰＳＲ制御回路１２の制御によりリモートフレームバッファＲＦＢから読み出される画像データとを切り替えて出力する。
第１のマルチプレクサＭＵＸ１の入力端子０には受信装置２０から出力される入力画像データが入力され、入力端子１にはリモートフレームバッファＲＦＢから読み出される画像データが入力され、選択入力端子には第１の切替信号が入力される。また、第１のマルチプレクサＭＵＸ１から出力される画像データは第１の画像処理回路１４へ入力される。
【００３１】
第２のマルチプレクサＭＵＸ２は、第２の切替信号に応じて、受信装置２０から出力される入力画像データと、第１の画像処理回路１４から出力される画像処理後の画像データとを切り替えて出力する。
第２のマルチプレクサＭＵＸ２の入力端子０には受信装置２０から出力される入力画像データが入力され、入力端子１には第１の画像処理回路１４から出力される画像処理後の画像データが入力され、選択入力端子には第２の切替信号が入力される。また、第２のマルチプレクサＭＵＸ２から出力される画像データはＰＳＲ制御回路１２、つまり、リモートフレームバッファＲＦＢに入力される。
【００３２】
第３のマルチプレクサＭＵＸ３は、第３の切替信号に応じて、受信装置２０から出力される入力画像データと、第１の画像処理回路１４から出力される画像処理後の画像データとを切り替えて出力する。
第３のマルチプレクサＭＵＸ３の入力端子０には受信装置２０から出力される入力画像データが入力され、入力端子１には第１の画像処理回路１４から出力される画像処理後の画像データが入力され、選択入力端子には第３の切替信号が入力される。また、第３のマルチプレクサＭＵＸ３から出力される画像データは、第４のマルチプレクサＭＵＸ４に入力される。
【００３３】
第４のマルチプレクサＭＵＸ４は、第４の切替信号に応じて、第３のマルチプレクサＭＵＸ３から出力される画像データと、ＰＳＲ制御回路１２の制御によりリモートフレームバッファＲＦＢから読み出される画像データとを切り替えて出力する。
第４のマルチプレクサＭＵＸ４の入力端子０には第３のマルチプレクサＭＵＸ３から出力される画像データが入力され、入力端子１にはリモートフレームバッファＲＦＢから読み出される画像データが入力され、選択入力端子には第４の切替信号が入力される。また、第４のマルチプレクサＭＵＸ４から出力される画像データは、第２の画像処理回路２２に入力される。
【００３４】
続いて、第２の画像処理回路（IPU2）２２は、切替回路から、つまり、第４のマルチプレクサＭＵＸ４から出力される画像データを画像処理する。
第２の画像処理回路２２には、第４のマルチプレクサＭＵＸ４から出力される画像データが入力され、第２の画像処理回路２２から出力される画像処理後の画像データは液晶パネル２４に入力される。
第２の画像処理回路２２は、例えば画像の動きおよび変化に起因する補正等のように、画像データに対応する画像全体に適用される画像処理を画像データに施す。第２の画像処理回路２２は必須の構成要素ではなく、必要に応じて設けられる。また、第１の画像処理回路１４による画像処理が行われていない画像に対して、第２の画像処理回路２２において、第１の画像処理回路１４と同じ画像処理を行ってから、第２の画像処理回路２２による画像処理を行ってもよい。
【００３５】
液晶パネル２４には、図示していないタイミングコントローラが内蔵されている。タイミングコントローラは、第２の画像処理回路２２から出力される画像データに対応する画像を液晶パネルに表示させるタイミングを制御する。
液晶パネル２４には、第２の画像処理回路２２から出力される画像処理後の画像データが入力される。第２の画像処理回路２２から出力される画像処理後の画像データはタイミングコントローラに供給され、タイミングコントローラの制御により、この画像処理後の画像データに対応する画像が液晶パネル２４に表示される。
【００３６】
次に、画像処理装置１０の動作モードについて説明する。
【００３７】
【表１】
2019139060.tif 000003
【００３８】
表１において、左端の欄は、画像処理装置１０の動作モードを表し、右側の４つの欄は、各動作モードに対応する第１〜第４の切替信号の設定状態の一例を表す。
【００３９】
画像処理装置１０は、動作モードとして、表１に示すように、通常動作モード（Normal Operation）と、ＰＳＲ開始モード（PSR Entry）、ＰＳＲモード（PSR）およびＰＳＲ終了モード（PSR Exit）と、ＰＳＲ２開始モード（PSR2 Entry）、ＰＳＲ２モード（PSR2）およびＰＳＲ２終了モード（PSR2 Exit）とを含む。また、各動作モードは、第１の画像処理回路１４により、画像に画像処理が施されない場合および画像に画像処理が施される場合（with IPU1）を含む。
【００４０】
通常動作モードは、ＰＳＲおよびＰＳＲ２により静止画が表示されない通常動作により、受信装置２０から出力される入力画像データがそのまま出力され、入力画像データに対応する画像が表示されるモードである。
【００４１】
ＰＳＲ開始モードは、ＰＳＲが開始される前（ＰＳＲモードが開始される前）に、ＰＳＲモードにおいて読み出される１フレーム分の入力画像データがリモートフレームバッファＲＦＢに書き込まれるモードである。ＰＳＲ開始モードでは、画像全体に対応する入力画像データが送信装置から送られ、それが受信装置２０によって取り込まれる。
ＰＳＲモードは、ＰＳＲ開始モードにおいてリモートフレームバッファＲＦＢに書き込まれる１フレーム分の画像データがリモートフレームバッファＲＦＢから読み出されてＰＳＲにより静止画が表示されるモードである。ＰＳＲモード中、送信装置は１フレーム分の入力画像データを受信装置２０へ送信することができ、受信装置２０はそれに応じてリモートフレームバッファＲＦＢに新しい静止画を格納する。
ＰＳＲ終了モードは、ＰＳＲが終了される前（ＰＳＲモードが終了される前）に、垂直ブランキング期間において画像データを１フレーム単位で切り換えるために、受信装置２０から出力される入力画像データと、リモートフレームバッファＲＦＢから読み出される画像データとの間の位相調整が行われるモードである。
【００４２】
ＰＳＲ２開始モードは、ＰＳＲ２が開始される前（ＰＳＲ２モードが開始される前）に、ＰＳＲ２モードにおいて読み出される１フレーム分の入力画像データがリモートフレームバッファＲＦＢに書き込まれるモードである。ＰＳＲ２開始モードでは、画像全体に対応する入力画像データが送信装置から送られ、それが受信装置２０によって取り込まれる。
ＰＳＲ２モードは、ＰＳＲ２開始モードにおいてリモートフレームバッファＲＦＢに書き込まれる画像全体に対応する画像データを含む、１フレーム分の画像データがリモートフレームバッファＲＦＢから読み出されてＰＳＲ２により静止画が表示されるモードである。ＰＳＲ２モード中、送信装置は画像全体または画像の一部の領域のみの入力画像データを送信することができ、それに応じてリモートフレームバッファＲＦＢが更新される。
ＰＳＲ２終了モードは、ＰＳＲ２が終了される前（ＰＳＲ２モードが終了される前）に、垂直ブランキング期間において画像データを１フレーム単位で切り換えるために、受信装置２０から出力される入力画像データと、リモートフレームバッファＲＦＢから読み出される画像データとの間の位相調整が行われるモードである。
【００４３】
表１に示すように、第１の切替信号は、画像に画像処理が施される場合に、通常動作モード、ＰＳＲ開始モード、ＰＳＲ終了モードおよびＰＳＲ２開始モードにおいて、“０”に設定される。また、第１の切替信号は、画像に画像処理が施される場合に、ＰＳＲ２モードおよびＰＳＲ２終了モードにおいて、“１”に設定される。
第１の切替信号が“０”の場合、第１のマルチプレクサＭＵＸ１からは、受信装置２０から出力される入力画像データが出力される。また、第１の切替信号が“１”の場合、第１のマルチプレクサＭＵＸ１からは、リモートフレームバッファＲＦＢから読み出される画像データが出力される。
【００４４】
第２の切替信号は、画像に画像処理が施されない場合に、ＰＳＲ開始モード、ＰＳＲ終了モード、ＰＳＲ２開始モードおよびＰＳＲ２終了モードにおいて、ならびに、画像処理が施される場合に、ＰＳＲ２開始モードおよびＰＳＲ２終了モードにおいて、“０”に設定される。また、第２の切替信号は、画像に画像処理が施される場合に、ＰＳＲ開始モードおよびＰＳＲ終了モードにおいて、“１”に設定される。
第２の切替信号が“０”の場合、第２のマルチプレクサＭＵＸ２からは、受信装置２０から出力される入力画像データが出力される。また、第２の切替信号が“１”の場合、第２のマルチプレクサＭＵＸ２からは、第１の画像処理回路１４から出力される画像処理後の画像データが出力される。
【００４５】
第３の切替信号は、画像に画像処理が施されない場合に、通常動作モード、ＰＳＲ開始モード、ＰＳＲ終了モード、ＰＳＲ２開始モードおよびＰＳＲ２終了モードにおいて、“０”に設定される。また、第３の切替信号は、画像に画像処理が施される場合に、通常動作モード、ＰＳＲ開始モード、ＰＳＲ終了モード、ＰＳＲ２開始モード、ＰＳＲ２モードおよびＰＳＲ２終了モードにおいて、“１”に設定される。
第３の切替信号が“０”の場合、第３のマルチプレクサＭＵＸ３からは、受信装置２０から出力される入力画像データが出力される。また、第３の切替信号が“１”の場合、第３のマルチプレクサＭＵＸ３からは、第１の画像処理回路１４から出力される画像処理後の画像データが出力される。
【００４６】
第４の切替信号は、画像に画像処理が施されない場合に、通常動作モード、ＰＳＲ開始モードおよびＰＳＲ２開始モードにおいて、ならびに、画像処理が施される場合に、通常動作モード、ＰＳＲ開始モード、ＰＳＲ２開始モード、ＰＳＲ２モードおよびＰＳＲ２終了モードにおいて、“０”に設定される。また、第４の切替信号は、画像に画像処理が施されない場合に、ＰＳＲモード、ＰＳＲ終了モード、ＰＳＲ２モードおよびＰＳＲ２終了モードにおいて、ならびに、画像に画像処理が施される場合に、ＰＳＲモードおよびＰＳＲ終了モードにおいて、“１”に設定される。
第４の切替信号が“０”の場合、第４のマルチプレクサＭＵＸ４からは、第３のマルチプレクサＭＵＸ３から出力される画像データが出力される。また、第４の切替信号が“１”の場合、第４のマルチプレクサＭＵＸ４からは、リモートフレームバッファＲＦＢから出力される画像データが出力される。
【００４７】
次に、画像処理装置１０の動作モードの遷移について説明する。
【００４８】
【表２】
2019139060.tif 000004
【００４９】
表２において、左の欄は、現在の動作モードを表し、右の欄は、動作モードを遷移させるトリガとなる信号を表し、中央の欄は、トリガとなる信号が検出された場合に遷移する次の動作モードを表す。
【００５０】
表１に示す第１〜第４の切替信号は、表２に示すように、送信装置から送信され、受信装置２０によって受信される制御信号である、IPU1 Enable信号、IPU1 Disable信号、PSR Active信号、PSR Inactive信号、PSR2 Active信号およびPSR2 Inactive信号と、ＰＳＲ制御回路１２から出力される検出信号である、１フレーム経過信号および位相調整完了信号とに基づいて生成される。
【００５１】
IPU1 Enable信号およびIPU1 Disable信号は、画像処理装置１０において画像に画像処理を行うか否か指示する制御信号の一例である。IPU1 Enable信号は、例えばＨＤＲ（High Dynamic Range：ハイダイナミックレンジ）で画像を表示させるために画像に画像処理を行うことを指示する信号であり、IPU1 Disable信号は、例えばＳＤＲ（Standard Dynamic Range：スタンダードダイナミックレンジ）で画像を表示させるために、画像に画像処理を行わないことを指示する信号である。
【００５２】
PSR Active信号は、ＰＳＲにより静止画を表示させることを指示する信号であり、PSR Inactive信号は、ＰＳＲにより静止画を表示させないことを指示する信号である。
PSR2 Active信号は、ＰＳＲ２により静止画を表示させることを指示する信号であり、PSR2 Inactive信号は、ＰＳＲ２により静止画を表示させないことを指示する信号である。
【００５３】
１フレーム経過信号は、ＰＳＲ開始モードおよびＰＳＲ２開始モードにおいて、１フレーム分の画像データがリモートフレームバッファＲＦＢに書き込まれた後に出力される信号である。
位相調整完了信号は、ＰＳＲ終了モードおよびＰＳＲ２終了モードにおいて、受信装置２０から出力される入力画像データと、リモートフレームバッファＲＦＢから読み出される画像データとの間の位相調整が完了した後に出力される信号である。
【００５４】
表２に示すように、画像処理装置１０は、例えば画像処理が施されない通常動作モードにおいて、IPU1 Enable信号が検出され、続いてPSR Active信号が検出された場合に、画像処理が施されるＰＳＲ開始モードに遷移する。画像処理装置１０の動作モードは、上記以外の場合も同様に遷移する。
なお、画像処理が施されるＰＳＲ２終了モードにおいて、PSR Active信号が検出された場合、画像処理が施されるＰＳＲモードに遷移するのではなく、画像処理が施されるＰＳＲ２モードに遷移する。
【００５５】
次に、図２および図３に示すフローチャートを参照しながら、画像処理装置１０の動作を説明する。
【００５６】
本実施形態では、画像に画像処理が施されない通常動作モードから開始されるとする（ステップS1）。
【００５７】
画像処理が施されない通常動作モードの場合、表１に示すように、第３および第４の切替信号は“０”に設定される。
この場合、第３のマルチプレクサＭＵＸ３からは、受信装置２０から出力される入力画像データが出力され、第４のマルチプレクサＭＵＸ４からは、第３のマルチプレクサＭＵＸ３から出力される画像データ、つまり、受信装置２０から出力される入力画像データがそのまま出力される。第４のマルチプレクサＭＵＸ４から出力される画像データは、第２の画像処理回路２２により画像処理され、タイミングコントローラの制御により、第２の画像処理回路２２から出力される画像処理後の画像データに対応する画像が液晶パネル２４に表示される。なお、リモートフレームバッファＲＦＢは空の状態である。
【００５８】
つまり、切替信号生成回路１６は、通常動作により画像処理が施されない画像データに対応する画像を表示させる場合に、入力画像データが第３のマルチプレクサＭＵＸ３を介してそのまま第４のマルチプレクサＭＵＸ４から出力されるように、選択される画像データの切り替えを制御する切替信号を生成する。
【００５９】
なお、画像処理が施されない通常動作モードの場合、第１および第２の切替信号は、“０”に設定されても“１”に設定されてもよい。表１においては、“０”に設定されても“１”に設定されてもよい場合であって、“０”に設定さている場合には“−（０）”、“１”に設定されている場合には“−（１）”と表されている。これ以後の各動作モードにおいても同様である。
【００６０】
続いて、IPU1 Enable信号が受信されたか否かが検出される（ステップS2）。
【００６１】
画像処理が施されない通常動作モードにおいて、IPU1 Enable信号が受信されない場合（ステップS2でNo）、続いて、PSR Active信号が受信されたか否かが検出される（ステップS3）。
【００６２】
画像処理が施されない通常動作モードにおいて、PSR Active信号が受信された場合（ステップS3でYes）、画像に画像処理が施されないＰＳＲ開始モードになる（ステップS4）。
【００６３】
画像処理が施されないＰＳＲ開始モードの場合、第２〜第４の切替信号は“０”に設定される。
この場合、第２のマルチプレクサＭＵＸ２からは、受信装置２０から出力される入力画像データが出力され、ＰＳＲ制御回路１２の制御により、受信装置２０から出力される１フレーム分の入力画像データがリモートフレームバッファＲＦＢに書き込まれる。第３および第４のマルチプレクサＭＵＸ３、ＭＵＸ４の動作は、画像処理が施されない通常動作モードの場合と同じである。これ以後の動作は、通常動作モードの場合と同じである。また、これ以降の各動作モードについても同様である。
【００６４】
画像処理が施されないＰＳＲ開始モードにおいて、１フレーム分の画像データがリモートフレームバッファＲＦＢに書き込まれた後、ＰＳＲ制御回路１２から１フレーム経過信号が出力されると、画像に画像処理が施されないＰＳＲモードになる（ステップS4）。
【００６５】
画像処理が施されないＰＳＲモードの場合、第４の切替信号は“１”に設定される。
この場合、第４のマルチプレクサＭＵＸ４からは、ＰＳＲ制御回路１２の制御によりリモートフレームバッファＲＦＢから読み出される画像データが出力される。
【００６６】
つまり、切替信号生成回路１６は、ＰＳＲにより画像処理が施されない画像データに対応する画像を表示させる場合に、入力画像データが第２のマルチプレクサＭＵＸ２を介してＰＳＲ制御回路１２に入力され、リモートフレームバッファＲＦＢに書き込まれた後、リモートフレームバッファＲＦＢから読み出される画像データが第４のマルチプレクサＭＵＸ４から出力されるように、選択される画像データの切り替えを制御する切替信号を生成する。
【００６７】
続いて、PSR Inactive信号が受信されたか否かが検出される（ステップS5）。
【００６８】
画像処理が施されないＰＳＲモードにおいて、PSR Inactive信号が受信されない場合（ステップS5でNo）、ステップS4へ戻り、画像に画像処理が施されないＰＳＲモードが維持される。
【００６９】
一方、PSR Inactive信号が受信された場合（ステップS5でYes）、画像に画像処理が施されないＰＳＲ終了モードになる（ステップS6）。
【００７０】
画像処理が施されないＰＳＲ終了モードの場合、第２および第３の切替信号が“０”に設定され、第４の切替信号が“１”に設定される。
この場合、第２のマルチプレクサＭＵＸ２からは受信装置２０から出力される入力画像データが出力され、ＰＳＲ制御回路１２の制御により、受信装置２０から出力される入力画像データがリモートフレームバッファＲＦＢに書き込まれる。第３のマルチプレクサＭＵＸ３からは、受信装置２０から出力される入力画像データが出力され、第４のマルチプレクサＭＵＸ４からは、ＰＳＲ制御回路１２の制御によりリモートフレームバッファＲＦＢから読み出される画像データが出力される。
【００７１】
画像処理が施されないＰＳＲ終了モードでは、ＰＳＲ制御回路１２の制御により、受信装置２０から出力される入力画像データと、リモートフレームバッファＲＦＢから読み出される画像データとの間の位相調整が行われる。
【００７２】
受信装置２０は、通常動作モードにおいて、送信装置から受信される入力画像データからリカバリされるリカバリクロックに基づいて生成されたピクセルクロックに同期して動作する。一方、ＰＳＲモードにおいて送信装置の動作が停止されると、受信装置２０は、その内部クロックに基づいて生成されたピクセルクロックに同期して動作する。そのため、ＰＳＲ終了モードにおいて、送信装置と受信装置２０との動作タイミングがずれている場合がある。ＰＳＲ２モードの場合も同じである。
【００７３】
受信装置２０は、送信装置が停止されている場合でも、制御信号として、例えば、送信装置の垂直アクティブ期間における最初の水平ブランキング期間の終了タイミングを表すＶＢＥ（Virtual Blanking End：バーチャルブランキングエンド）生成用情報を１フレーム毎に送信装置から受信している。
【００７４】
ＰＳＲ制御回路１２は、ＶＢＥ生成用情報に基づいて、受信装置２０の垂直アクティブ期間における最初の水平ブランキング期間の終了タイミングとして用いるＶＢＥ信号を生成する。続いて、ＶＢＥ信号に基づいて、１フレームの先頭ラインから所定のラインまでのライン数を表す送信装置のカウント値をカウントし、同様に１フレームの先頭ラインから所定のラインまでのライン数を表す受信装置２０のカウント値をカウントする。そして、送信装置のカウント値と受信装置２０のカウント値との比較結果に応じて、送信装置と受信装置２０との間の動作タイミングの同期が取れるように、例えば受信装置２０における垂直ブランキング期間の長さをライン数で調整する。
【００７５】
これにより、受信装置２０から出力される入力画像データと、リモートフレームバッファＲＦＢから読み出される画像データとの間の位相調整が行われる。つまり、送信装置と受信装置２０との間の動作タイミングの同期が取られる。
なお、上記の位相調整は一例である。本発明においては、上記の位相調整の例に限らず、各種の位相調整方法を利用することができる。
【００７６】
続いて、PSR Active信号が受信されたか否かが検出される（ステップS7）。
【００７７】
画像処理が施されないＰＳＲ終了モードにおいて、PSR Active信号が受信された場合（ステップS7でYes）、ステップS4へ戻り、画像に画像処理が施されないＰＳＲモードになる。
【００７８】
一方、PSR Active信号が受信されない場合（ステップS7でNo）、続いて、PSR2 Active信号が受信されたか否かが検出される（ステップS8）。
【００７９】
画像処理が施されないＰＳＲ終了モードにおいて、PSR2 Active信号が受信された場合（ステップS8でYes）、ステップS11へ進む。
【００８０】
一方、PSR2 Active信号が受信されない場合（ステップS8でNo）、位相調整が完了してＰＳＲ制御回路１２から位相調整完了信号が出力されると（ステップS9）、ステップS1へ戻り、画像に画像処理が施されない通常動作モードになる。
【００８１】
画像処理が施されないＰＳＲ終了モードにおいて位相調整が行われた後、画像処理が施されないＰＳＲ終了モードから、画像処理が施されない通常動作モードになると、次の垂直ブランキング期間において、第４のマルチプレクサＭＵＸ４から出力される画像データは、リモートフレームバッファＲＦＢから読み出される画像データから、第３のマルチプレクサＭＵＸ３から出力される画像データ、つまり、受信装置２０から出力される入力画像データに切り替えられる。
【００８２】
ステップS3に戻って、画像処理が施されない通常動作モードにおいて、PSR Active信号が受信されない場合（ステップS3でNo）、続いて、PSR2 Active信号が受信されたか否かが検出される（ステップS10）。
【００８３】
画像処理が施されない通常動作モードにおいて、PSR2 Active信号が受信されない場合（ステップS10でNo）、ステップS1へ戻り、画像に画像処理が施されない通常動作モードが維持される。
【００８４】
一方、PSR2 Active信号が受信された場合（ステップS10でYes）、画像に画像処理が施されないＰＳＲ２開始モードになる（ステップS11）。
【００８５】
画像処理が施されないＰＳＲ２開始モードの場合、第２〜第４の切替信号は“０”に設定される。
この場合、第２のマルチプレクサＭＵＸ２からは、受信装置２０から出力される入力画像データが出力され、ＰＳＲ制御回路１２の制御により、受信装置２０から出力される１フレーム分の入力画像データがリモートフレームバッファＲＦＢに書き込まれる。第３および第４のマルチプレクサＭＵＸ３、ＭＵＸ４の動作は、画像処理が施されない通常動作モードの場合と同じである。
【００８６】
画像処理が施されないＰＳＲ２開始モードにおいて、受信装置２０から出力される入力画像データを含む１フレーム分の画像データがリモートフレームバッファＲＦＢに書き込まれた後、ＰＳＲ制御回路１２から１フレーム経過信号が出力されると、画像に画像処理が施されないＰＳＲ２モードになる（ステップS11）。
【００８７】
画像処理が施されないＰＳＲ２モードの場合、第４の切替信号は“１”に設定される。
この場合の動作は、画像処理が施されないＰＳＲモードの場合と同じである。
【００８８】
つまり、切替信号生成回路１６は、ＰＳＲ２により画像処理が施されない画像データに対応する画像を表示させる場合に、入力画像データが第２のマルチプレクサＭＵＸ２を介してＰＳＲ制御回路１２に入力され、リモートフレームバッファＲＦＢに書き込まれた後、リモートフレームバッファＲＦＢから読み出される画像データが第４のマルチプレクサＭＵＸ４から出力されるように、選択される画像データの切り替えを制御する切替信号を生成する。
【００８９】
続いて、PSR2 Inactive信号が受信されたか否かが検出される（ステップS12）。
【００９０】
画像処理が施されないＰＳＲ２モードにおいて、PSR2 Inactive信号が受信されない場合（ステップS12でNo）、ステップS11へ戻り、画像に画像処理が施されないＰＳＲ２モードが維持される。
【００９１】
一方、PSR2 Inactive信号が受信された場合（ステップS12でYes）、画像に画像処理が施されないＰＳＲ２終了モードになる（ステップS6）。
【００９２】
画像処理が施されないＰＳＲ２終了モードの場合、第２および第３の切替信号が“０”に設定され、第４の切替信号が“１”に設定される。
この場合の動作は、画像処理が施されないＰＳＲ終了モードの場合と同じである。
【００９３】
ステップS2に戻って、画像処理が施されない通常動作モードにおいて、IPU1 Enable信号が受信された場合（ステップS2でYes）、画像に画像処理が施される通常動作モードになる。
【００９４】
画像処理が施される通常動作モードの場合、表１に示すように、第１および第４の切替信号は“０”に設定され、第３の切替信号が“１”に設定される。
この場合、図４に太線で示すように、第１のマルチプレクサＭＵＸ１からは、受信装置２０から出力される入力画像データが出力され、第１の画像処理回路１４により、受信装置２０から出力される入力画像データが画像処理される。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。なお、リモートフレームバッファＲＦＢは空（Empty）の状態である。
【００９５】
つまり、切替信号生成回路１６は、通常動作により画像処理後の画像データに対応する画像を表示させる場合に、入力画像データが第１のマルチプレクサＭＵＸ１を介して第１の画像処理回路１４に入力され、画像処理されるように、さらに画像処理後の画像データが第３のマルチプレクサＭＵＸ３を介して第４のマルチプレクサＭＵＸ４から出力されるように、選択される画像データの切り替えを制御する切替信号を生成する。
【００９６】
続いて、PSR Active信号が受信されたか否かが検出される（ステップS13）。
【００９７】
画像処理が施される通常動作モードにおいて、PSR Active信号が受信された場合（ステップS13でYes）、画像に画像処理が施されるＰＳＲ開始モードになる（ステップS14）。
【００９８】
画像処理が施されるＰＳＲ開始モードの場合、第１および第４の切替信号は“０”に設定され、第２および第３の切替信号は“１”に設定される。
この場合、図５に太線で示すように、第１のマルチプレクサＭＵＸ１からは、受信装置２０から出力される入力画像データが出力され、第１の画像処理回路１４により、受信装置２０から出力される入力画像データが画像処理される。第２のマルチプレクサＭＵＸ２からは、第１の画像処理回路１４から出力される画像処理後の画像データが出力され、ＰＳＲ制御回路１２の制御により、画像処理後の画像データ（Processed by IPU1）がリモートフレームバッファＲＦＢに書き込まれる。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。
【００９９】
画像処理が施されるＰＳＲ開始モードにおいて、１フレーム分の画像処理後の画像データがリモートフレームバッファＲＦＢに書き込まれた後、ＰＳＲ制御回路１２から１フレーム経過信号が出力されると、画像に画像処理が施されるＰＳＲモードになる（ステップS14）。
【０１００】
画像処理が施されるＰＳＲモードの場合、第４の切替信号は“１”に設定される。
この場合、図６に太線で示すように、第４のマルチプレクサＭＵＸ４からは、ＰＳＲ制御回路１２の制御によりリモートフレームバッファＲＦＢから読み出される画像処理後の画像データ（Processed by IPU1）が出力される。
【０１０１】
つまり、切替信号生成回路１６は、ＰＳＲにより画像処理後の画像データに対応する静止画を表示させる場合に、入力画像データが第１のマルチプレクサＭＵＸ１を介して第１の画像処理回路１４に入力され、画像処理されるように、さらに画像処理後の画像データが第２のマルチプレクサＭＵＸ２を介してＰＳＲ制御回路１２に入力され、ＰＳＲ制御回路１２の制御によりリモートフレームバッファＲＦＢに書き込まれるように、さらにリモートフレームバッファＲＦＢから読み出される画像処理後の画像データが第４のマルチプレクサＭＵＸ４から出力されるか、または画像処理後の画像データが第３のマルチプレクサＭＵＸ３を介して第４のマルチプレクサＭＵＸ４から出力されるように、選択される画像データの切り替えを制御する切替信号を生成する。
【０１０２】
画像処理装置１０においては、ＰＳＲにより画像処理後の画像データに対応する静止画を表示させる場合に、第１の画像処理回路１４により受信装置２０から出力される入力画像データが画像処理され、ＰＳＲ制御回路１２の制御により画像処理後の画像データがリモートフレームバッファＲＦＢに書き込まれ、リモートフレームバッファＲＦＢから読み出される画像処理後の画像データが第４のマルチプレクサＭＵＸ４から出力される。
従って、ＰＳＲにより画像に画像処理が施される静止画を表示させる場合において、第１の画像処理回路１４を停止させることができ、第１の画像処理回路１４による消費電力を低減させることができる。
【０１０３】
続いて、PSR Inactive信号が受信されたか否かが検出される（ステップS15）。
【０１０４】
画像処理が施されるＰＳＲモードにおいて、PSR Inactive信号が受信されない場合（ステップS15でNo）、ステップS14へ戻り、画像に画像処理が施されるＰＳＲモードが維持される。
【０１０５】
一方、PSR Inactive信号が受信された場合（ステップS15でYes）、画像に画像処理が施されるＰＳＲ終了モードになる（ステップS16）。
【０１０６】
画像処理が施されるＰＳＲ終了モードの場合、第１の切替信号は“０”に設定され、第２〜第４の切替信号は“１”に設定される。
この場合、図７に太線で示すように、第１のマルチプレクサＭＵＸ１からは、受信装置２０から出力される入力画像データが出力され、第１の画像処理回路１４によって受信装置２０から出力される入力画像データが画像処理される。第２のマルチプレクサＭＵＸ２からは、第１の画像処理回路１４から出力される画像処理後の画像データが出力され、ＰＳＲ制御回路１２の制御により、第１の画像処理回路１４から出力される画像処理後の画像データ（Processed by IPU1）がリモートフレームバッファＲＦＢに書き込まれる。第３のマルチプレクサＭＵＸ３からは、第１の画像処理回路１４から出力される画像処理後の画像データが出力され、第４のマルチプレクサＭＵＸ４からは、ＰＳＲ制御回路１２の制御によりリモートフレームバッファＲＦＢから読み出される画像処理後の画像データが出力される。
【０１０７】
画像処理が施されるＰＳＲ終了モードでは、ＰＳＲ制御回路１２の制御により、受信装置２０から出力される入力画像データと、リモートフレームバッファＲＦＢから読み出される画像データとの間の位相調整が行われる。
【０１０８】
続いて、PSR Active信号が受信されたか否かが検出される（ステップS17）。
【０１０９】
画像処理が施されるＰＳＲ終了モードにおいて、PSR Active信号が受信された場合（ステップS17でYes）、ステップS14へ戻り、画像に画像処理が施されるＰＳＲモードになる。
【０１１０】
一方、PSR Active信号が受信されない場合（ステップS17でNo）、続いて、PSR2 Active信号が受信されたか否かが検出される（ステップS18）。
【０１１１】
画像処理が施されるＰＳＲ終了モードにおいて、PSR2 Active信号が受信された場合（ステップS18でYes）、ステップS21へ進む。
【０１１２】
一方、PSR2 Active信号が受信されない場合（ステップS18でNo）、位相調整が完了してＰＳＲ制御回路１２から位相調整完了信号が出力されると（ステップS19）、画像に画像処理が施される通常動作モードになる（ステップS27）。
【０１１３】
画像処理が施されるＰＳＲ終了モードにおいて位相調整が行われた後、画像処理が施されるＰＳＲ終了モードから、画像処理が施される通常動作モードになると、次の垂直ブランキング期間において、第４のマルチプレクサＭＵＸ４から出力される画像データは、図４および図７に太線で示すように、ＰＳＲ制御回路１２の制御によりリモートフレームバッファＲＦＢから読み出される画像データから、第３のマルチプレクサＭＵＸ３から出力される画像データ、つまり、第１の画像処理回路１４から出力される画像処理後の画像データに切り替えられる。
【０１１４】
ステップS13に戻って、画像処理が施される通常動作モードにおいて、PSR Active信号が受信されない場合（ステップS13でNo）、続いて、PSR2 Active信号が受信されたか否かが検出される（ステップS20）。
【０１１５】
画像処理が施される通常動作モードにおいて、PSR2 Active信号が受信されない場合（ステップS20でNo）、ステップS27へ進む。
【０１１６】
一方、PSR2 Active信号が受信された場合（ステップS20でYes）、画像に画像処理が施されるＰＳＲ２開始モードになる（ステップS21）。
【０１１７】
画像処理が施されるＰＳＲ２開始モードの場合、第１、第２および第４の切替信号は“０”に設定され、第３の切替信号は“１”に設定される。
この場合、図８に太線で示すように、第１のマルチプレクサＭＵＸ１からは、受信装置２０から出力される入力画像データが出力され、第１の画像処理回路１４により、受信装置２０から出力される入力画像データに画像処理が施される。第２のマルチプレクサＭＵＸ２からは、受信装置２０から出力される入力画像データが出力され、ＰＳＲ制御回路１２の制御により、受信装置２０から出力される入力画像データ（RAW）がリモートフレームバッファＲＦＢに書き込まれる。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。
【０１１８】
画像処理が施されるＰＳＲ２開始モードにおいて、ＰＳＲ制御回路１２により、受信装置２０から出力される入力画像データを含む１フレーム分の画像データがリモートフレームバッファＲＦＢに書き込まれた後、ＰＳＲ制御回路１２から１フレーム経過信号が出力されると、画像に画像処理が施されるＰＳＲ２モードになる（ステップS21）。
【０１１９】
画像処理が施されるＰＳＲ２モードの場合、第１および第３の切替信号は“１”に設定され、第４の切替信号は“０”に設定される。
この場合、図９に太線で示すように、第１のマルチプレクサＭＵＸ１からは、ＰＳＲ制御回路１２の制御によりリモートフレームバッファＲＦＢから読み出される画像データ（RAW）が出力され、第１の画像処理回路１４により、リモートフレームバッファＲＦＢから読み出される画像データが画像処理される。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。
【０１２０】
つまり、切替信号生成回路１６は、ＰＳＲ２により画像処理後の画像データに対応する静止画を表示させる場合に、入力画像データが第２のマルチプレクサＭＵＸ２を介してＰＳＲ制御回路１２に入力され、リモートフレームバッファＲＦＢに書き込まれるように、さらに入力画像データが第１のマルチプレクサＭＵＸ１を介して第１の画像処理回路１４に入力され、画像処理されるか、またはリモートフレームバッファＲＦＢから読み出される画像データが第１のマルチプレクサＭＵＸ１を介して第１の画像処理回路１４に入力され、画像処理されるように、さらに画像処理後の画像データが第３のマルチプレクサＭＵＸ３を介して第４のマルチプレクサＭＵＸ４から出力されるように、選択される画像データの切り替えを制御する切替信号を生成する。
【０１２１】
続いて、PSR2 Inactive信号が受信されたか否かが検出される（ステップS22）。
【０１２２】
画像処理が施されるＰＳＲ２モードにおいて、PSR2 Inactive信号が受信されない場合（ステップS22でNo）、ステップS21へ戻り、画像に画像処理が施されるＰＳＲ２モードが維持される。
【０１２３】
一方、PSR2 Inactive信号が受信された場合（ステップS22でYes）、画像に画像処理が施されるＰＳＲ２終了モードになる（ステップS23）。
【０１２４】
画像処理が施されるＰＳＲ２終了モードの場合、第２および第４の切り替え信号は“０”に設定され、第１および第３の切替信号は“１”に設定される。
この場合、図１０に太線で示すように、第１のマルチプレクサＭＵＸ１からは、ＰＳＲ制御回路１２の制御によりリモートフレームバッファＲＦＢから読み出される画像データ（RAW）が出力され、第１の画像処理回路１４により、リモートフレームバッファＲＦＢから読み出される画像データが画像処理される。第２のマルチプレクサＭＵＸ２からは、受信装置２０から出力される入力画像データが出力され、ＰＳＲ制御回路１２の制御により、受信装置２０から出力される入力画像データ（RAW）がリモートフレームバッファＲＦＢに書き込まれる。なお、画像データの書き込みは、リモートフレームバッファＲＦＢにおいて、画像データの読み出しが行われた後の領域に順次上書きされる。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。
【０１２５】
画像処理が施されるＰＳＲ２終了モードでは、ＰＳＲ制御回路１２の制御により、受信装置２０から出力される入力画像データと、リモートフレームバッファＲＦＢから読み出される画像データとの間の位相調整が行われる。
【０１２６】
続いて、PSR Active信号が受信されたか否かが検出される（ステップS24）。
【０１２７】
画像処理が施されるＰＳＲ２終了モードにおいて、PSR Active信号が受信された場合（ステップS24でYes）、ステップS21へ戻り、画像処理が施されるＰＳＲモードではなく、画像に画像処理が施されるＰＳＲ２モードになる。
【０１２８】
画像処理が施されるＰＳＲ２終了モードから画像処理が施されるＰＳＲモードに遷移させる場合、受信装置２０から出力される入力画像データを第１のマルチプレクサＭＵＸ１から出力し、第１の画像処理回路１４に入力する必要がある。
しかし、画像処理が施されるＰＳＲ２終了モードの場合、第１のマルチプレクサＭＵＸ１からは、リモートフレームバッファＲＦＢから読み出される画像データ（RAW）が出力され、第１の画像処理回路１４に入力される。
このため、本実施形態の画像処理装置１０においては、画像処理が施されるＰＳＲ２終了モードから画像処理が施されるＰＳＲモードに遷移させることができず、画像処理が施されるＰＳＲ２モードに遷移される。
【０１２９】
一方、PSR Active信号が受信されない場合（ステップS24でNo）、続いて、PSR2 Active信号が受信されたか否かが検出される（ステップS25）。
【０１３０】
画像処理が施されるＰＳＲ２終了モードにおいて、PSR2 Active信号が受信された場合（ステップS25でYes）、ステップS21へ戻り、画像に画像処理が施されるＰＳＲ２モードになる。
【０１３１】
一方、PSR2 Active信号が受信されない場合（ステップS25でNo）、位相調整が完了してＰＳＲ制御回路１２から位相調整完了信号が出力されると（ステップS26）、画像に画像処理が施される通常動作モードになる（ステップS27）。
【０１３２】
画像処理が施されるＰＳＲ２終了モードにおいて位相調整が行われた後、画像処理が施されるＰＳＲ２終了モードから、画像処理が施される通常動作モードになると、次の垂直ブランキング期間において、第４のマルチプレクサＭＵＸ４から出力される画像データは、図４および図１０に太線で示すように、ＰＳＲ制御回路１２の制御によりリモートフレームバッファＲＦＢから読み出され、第１の画像処理回路１４により画像処理された画像処理後の画像データから、受信装置２０から出力され、第１の画像処理回路１４により画像処理された画像処理後の画像データに切り替えられる。
【０１３３】
続いて、IPU1 Disable信号が受信されたか否かが検出される（ステップS28）。
【０１３４】
画像処理が施される通常動作モードにおいて、IPU1 Disable信号が受信されない場合（ステップS28でNo）、ステップS13へ進む。
【０１３５】
一方、画像処理が施される通常動作モードにおいて、IPU1 Disable信号が受信された場合（ステップS28でYes）、ステップS1へ進み、画像に画像処理が施されない通常動作モードになる。これ以後の動作は、上記各ステップの繰り返しになる。
【０１３６】
なお、画像処理が施されるＰＳＲ２モードの場合、第１の画像処理回路１４を動作させ続けることになる。画像データを画像処理する点に問題はないが、第１の画像処理回路１４が動作し続ける分の省電力化を実現できない。
【０１３７】
これに対し、２フレーム分の画像データを格納する第１および第２のフレーム領域を有するリモートフレームバッファＲＦＢを使用することにより、部分画像に画像処理が施されるＰＳＲ２モードにおいても第１の画像処理回路１４を停止させることができる。
【０１３８】
例えば、ＰＳＲ２モードにおいて、第１の画像処理回路１４から出力される画像処理後の画像データを出力すると同時に、画像処理後の画像データをリモートフレームバッファＲＦＢの第１のフレーム領域に書き込む。画像処理後の画像データがリモートフレームバッファＲＦＢの第１のフレーム領域に書き込まれた後は、静止画であり続ける限り、リモートフレームバッファＲＦＢの第１のフレーム領域に書き込まれた画像データを出力することができる。
【０１３９】
例えば、画像処理が施されるＰＳＲ２モードにおいて、まず、第１〜第３の切替信号は“１”に設定され、第４の切替信号は“０”に設定される。
この場合、図１１に太線で示すように、第１のマルチプレクサＭＵＸ１からは、ＰＳＲ制御回路１２の制御によりリモートフレームバッファＲＦＢの第２のフレーム領域（図１１のリモートフレームバッファＲＦＢの右側）から読み出される画像データ（RAW）が出力され、第１の画像処理回路１４により、リモートフレームバッファＲＦＢの第２のフレーム領域から読み出される画像データが画像処理される。第２のマルチプレクサＭＵＸ２からは、第１の画像処理回路１４から出力される画像処理後の画像データが出力され、ＰＳＲ制御回路１２の制御により、受信装置２０から出力される１フレーム分の入力画像データ（Processed by IPU1）がリモートフレームバッファＲＦＢの第１のフレーム領域（図１１のリモートフレームバッファＲＦＢの左側）に書き込まれる。第３のマルチプレクサＭＵＸ３からは、第１の画像処理回路１４から出力される画像処理後の画像データが出力され、第４のマルチプレクサＭＵＸ４からは、第３のマルチプレクサＭＵＸ３から出力される画像データ、つまり、第１の画像処理回路１４から出力される画像処理後の画像データが出力される。
【０１４０】
続いて、ＰＳＲ２モードにおいて使用される１フレーム分の画像データがリモートフレームバッファＲＦＢの第１のフレーム領域に書き込まれた後、ＰＳＲ制御回路１２から１フレーム経過信号が出力されると、第４の切り替え信号が“０”から“１”に設定される。
この場合、図１２に太線で示すように、第４のマルチプレクサＭＵＸ４からは、ＰＳＲ制御回路１２の制御によりリモートフレームバッファＲＦＢの第１のフレーム領域から読み出される画像データ（Processed by IPU1）が出力される。
【０１４１】
つまり、切替信号生成回路１６は、ＰＳＲ２により画像処理後の画像データに対応する静止画を表示させる場合に、リモートフレームバッファＲＦＢの第２のフレーム領域から読み出される画像データが第１のマルチプレクサＭＵＸ１を介して第１の画像処理回路１４に入力され、画像処理されるように、さらに画像処理後の画像データが第２のマルチプレクサＭＵＸ２を介してＰＳＲ制御回路１２に入力され、リモートフレームバッファＲＦＢの第１のフレーム領域に書き込まれた後、リモートフレームバッファＲＦＢの第１のフレーム領域から読み出される画像処理後の画像データが第４のマルチプレクサＭＵＸ４から出力されるか、または画像処理後の画像データが第３のマルチプレクサＭＵＸ３を介して第４のマルチプレクサＭＵＸ４から出力されるように、選択される画像データの切り替えを制御する切替信号を生成する。
【０１４２】
画像処理装置１０においては、ＰＳＲ２により画像処理後の画像データに対応する静止画を表示させる場合に、ＰＳＲ制御回路１２の制御によりリモートフレームバッファＲＦＢの第２のフレーム領域から読み出される画像データが、第１の画像処理回路１４により画像処理され、ＰＳＲ制御回路１２の制御により、画像処理後の画像データがリモートフレームバッファＲＦＢの第１のフレーム領域に書き込まれた後、リモートフレームバッファＲＦＢの第１のフレーム領域から読み出される画像処理後の画像データが第４のマルチプレクサＭＵＸ４から出力される。
従って、ＰＳＲ２により部分画像に画像処理が施される静止画を表示させる場合において、第１の画像処理回路１４を停止させることができ、第１の画像処理回路１４による消費電力を低減させることができる。
【０１４３】
また、ＰＳＲ２モードにおいて使用される画像の一部が更新された場合、新たな画像データをリモートフレームバッファＲＦＢの第２のフレーム領域に書き込む。その後、再び第１の画像処理回路１４を動作させて、第１の画像処理回路１４により新たな画像データを画像処理し、新たな画像処理後の画像データを出力すると共にリモートフレームバッファＲＦＢの第１のフレーム領域に書き込む。これ以後、リモートフレームバッファＲＦＢの第１のフレーム領域から読み出される画像データを出力させることができる。
【０１４４】
例えば、受信装置２０により、ＰＳＲ２モードにおいて使用される画像の一部を更新する新たな入力画像データが受信された場合、第１および第３の切替信号は“１”に設定され、第２および第４の切替信号は“０”に設定される。
この場合、図１３に太線で示すように、まず、第２のマルチプレクサＭＵＸ２からは、受信装置２０から出力される新たな入力画像データが出力され、ＰＳＲ制御回路１２の制御により、受信装置２０から出力される新たな入力画像データ（RAW）がリモートフレームバッファＲＦＢの第２のフレーム領域に書き込まれる。その後、第１のマルチプレクサＭＵＸ１からは、ＰＳＲ制御回路１２の制御によりリモートフレームバッファＲＦＢの第１のフレーム領域から読み出される新たな画像データ（RAW）が出力され、第１の画像処理回路１４により、リモートフレームバッファＲＦＢの第１のフレーム領域から読み出される新たな画像データが画像処理される。第３のマルチプレクサＭＵＸ３からは、第１の画像処理回路１４から出力される新たな画像処理後の画像データが出力され、第４のマルチプレクサＭＵＸ４からは、第３のマルチプレクサＭＵＸ３から出力される画像データ、つまり、第１の画像処理回路１４から出力される新たな画像処理後の画像データが出力される。これ以後の動作は、上記の画像処理が施されるＰＳＲ２モードからの繰り返しになる。
【０１４５】
本発明の画像処理装置について図１に示す具体例を挙げて説明したが、本発明はこれに限定されず、異なる構成の回路であっても、同様の機能を果たすものであればいずれも利用可能である。
【０１４６】
以上、本発明について詳細に説明したが、本発明は上記実施形態に限定されず、本発明の主旨を逸脱しない範囲において、種々の改良や変更をしてもよいのはもちろんである。
【符号の説明】
【０１４７】
１０  画像処理装置
１２  パネルセルフリフレッシュ制御回路
１４  第１の画像処理回路
１６  切替信号生成回路
２０  受信装置
２２  第２の画像処理回路
２４  液晶パネル
ＭＵＸ１〜ＭＵＸ４  第１〜第４のマルチプレクサ
ＲＦＢ  リモートフレームバッファ
【図１】
2019139060.tif 000005
【図２】
2019139060.tif 000006
【図３】
2019139060.tif 000007
【図４】
2019139060.tif 000008
【図５】
2019139060.tif 000009
【図６】
2019139060.tif 000010
【図７】
2019139060.tif 000011
【図８】
2019139060.tif 000012
【図９】
2019139060.tif 000013
【図１０】
2019139060.tif 000014
【図１１】
2019139060.tif 000015
【図１２】
2019139060.tif 000016
【図１３】
2019139060.tif 000017